(57)【要約】    【課題】  近年、音響信号をパルス符号変調してデジタル値で記録した記録媒体およびその再生装置が広く普及しており、また、デジタル信号の処理の進歩によって、音響調整や残響音の付加など信号処理が、デジタル値を演算することによって行われるように成ってきており、それに伴いデジタルアンプは複雑化している現状である。    【解決手段】  本発明の六端子型デジタルアンプは、デジタルアンプ本体１と、デジタルアンプ本体からＶＣＣ端子２とグランド端子３と入力端子４とミュート端子５と正極側出力端子６と負極側出力端子７とを突出させ、ＶＣＣ端子２とグランド端子３との間に第１のコンデンサＣ１を接続し、正極側出力端子６に第２のコンデンサＣ２を接続させ、負極側出力端子７に第３のコンデンサＣ３を接続したものである。    【選択図】  図１
2006041767.tif 000002
【特許請求の範囲】
【請求項１】
入力端子に接続させたＰＷＭ変調回路と、該ＰＷＭ変調回路に正極を接続させた第１のコンパレータと、該第１のコンパレータの負極と正極を接続すると共に前記ＰＷＭ変調回路に負極を接続させた第２のコンパレータと、該第１のコンパレータの出力と前記第２のコンパレータの出力とに夫々接続したレベル・シフタ／デッド・タイム回路と、該レベル・シフタ／デッド・タイム回路と夫々接続した第１のゲートドライブと第２のゲートドライブと、該第１のゲートドライブに夫々のベースを接続すると共にＶＣＣ端子にコレクタを接続した第１のＰＮＰトランジスタとグランド端子にエミッタを接続させた第１のＮＰＮトランジスタと、該第１のＰＮＰトランジスタと第１のＮＰＮトランジスタとの間にを接続点を介装して接続した正極側出力端子と、前記第２のゲートドライブに夫々のベースを接続すると共にＶＣＣ端子にコレクタを接続した第２のＰＮＰトランジスタとグランド端子にエミッタを接続させた第２のＮＰＮトランジスタと、該第２のＰＮＰトランジスタと第２のＮＰＮトランジスタとの間にを接続点を介装して接続した負極側出力端子とを備えたデジタルアンプ本体と、該デジタルアンプ本体からＶＣＣ端子とグランド端子と入力端子とミュート端子と正極側出力端子と負極側出力端子とを突出させ、前記ＶＣＣ端子と前記グランド端子との間に第１のコンデンサを接続し、前記正極側出力端子に第２のコンデンサを接続させ、前記負極側出力端子に第３のコンデンサを接続したとことを特徴とする六端子型デジタルアンプ。
【発明の詳細な説明】
【技術分野】
【０００１】
本発明は六端子型デジタルアンプに関するものであり、更に詳細には、オーディオ等に好適に使用されるデジタルアンプであり、無駄な電力を消費せずに信号を増幅させてスピーカーを駆動させる高効率で簡易且つコンパクトな六端子型デジタルアンプに関するものである。
【背景技術】
【０００２】
近年、オーディオ用の記録媒体として、コンパクトディスクやミニディスク等の音響信号をパルス符号変調してデジタル値で記録した記録媒体およびその再生装置が広く普及しており、また、デジタル信号の処理の進歩によって、音響調整や残響音の付加など信号処理が、デジタル値を演算することによって行われるように成ってきており、それに伴いデジタルアンプは複雑化している現状である。
【０００３】
従来、例えば、ＰＣＭマルチビットデジタルオーディオ入力信号をＰＷＭ信号あるいはＰＤＭ信号に変換するデジタル信号処理回路１３と、前記デジタル信号処理回路１３の出力をスイッチング増幅する出力増幅段６と、前記出力増幅段６に電源を供給する定電圧電源回路１２１と、前記ＰＣＭマルチビットデジタルオーディオ入力信号と前記出力増幅段の出力信号を比較し、比較結果をもとに前記定電圧電源回路１２１の出力を変調する変調回路を備え、前記出力増幅段による歪みを低減するもの（特許文献１参照）や、更に、六端子を備えたものとしては、セルがアレイ状に配置された下地の上に第１配線層を形成してセルを接続することにより形成されたロジックセルを第２配線層で接続することにより論理回路が形成される半導体装置であって、ロジックセルの領域内の第２配線層にランド状に形成された電源配線パターンＶＤＤ１、ＶＤＤ２と、ロジックセルの領域内の第２配線層にランド状に形成されたグランド配線パターンＧＮＤと、ロジックセルの領域内の第２配線層に形成されたロジックセルに接続された複数の端子Ｔ１〜Ｔ６、とを備え、複数の端子Ｔ１〜Ｔ６は、電源配線パターンＶＤＤ１、ＶＤＤ２及びグランド配線パターンＧＮＤの少なくとも１つに隣り合うように配置されて構成されているもの（特許文献２参照）等が開示されている。
【特許文献１】特開２００４−１２８６６２号公報
【特許文献２】特開２００３−３３２４３８号公報
【発明の開示】
【発明が解決しようとする課題】
【０００４】
然し乍ら、先に開示された、ＰＣＭマルチビットデジタルオーディオ入力信号をＰＷＭ信号あるいはＰＤＭ信号に変換するデジタル信号処理回路１３と、前記デジタル信号処理回路１３の出力をスイッチング増幅する出力増幅段６と、前記出力増幅段６に電源を供給する定電圧電源回路１２１と、前記ＰＣＭマルチビットデジタルオーディオ入力信号と前記出力増幅段の出力信号を比較し、比較結果をもとに前記定電圧電源回路１２１の出力を変調する変調回路を備え、前記出力増幅段による歪みを低減するものでは、構造が複雑で、多数の制御回路やパーツを必要としており、その製造に多大の手間暇がかかり、高価なものと成っていた。
【０００５】
更に、セルがアレイ状に配置された下地の上に第１配線層を形成してセルを接続することにより形成されたロジックセルを第２配線層で接続することにより論理回路が形成される半導体装置であって、ロジックセルの領域内の第２配線層にランド状に形成された電源配線パターンＶＤＤ１、ＶＤＤ２と、ロジックセルの領域内の第２配線層にランド状に形成されたグランド配線パターンＧＮＤと、ロジックセルの領域内の第２配線層に形成されたロジックセルに接続された複数の端子Ｔ１〜Ｔ６、とを備え、複数の端子Ｔ１〜Ｔ６は、電源配線パターンＶＤＤ１、ＶＤＤ２及びグランド配線パターンＧＮＤの少なくとも１つに隣り合うように配置されて構成されているものでは、六端子は備えているものの、ロジックセルに関するものであった。
【課題を解決するための手段】
【０００６】
前述の課題に鑑み、鋭意研鑽の結果、本発明の六端子型デジタルアンプは、入力端子に接続させたＰＷＭ変調回路と、ＰＷＭ変調回路に正極を接続させた第１のコンパレータと、第１のコンパレータの負極と正極を接続すると共にＰＷＭ変調回路に負極を接続させた第２のコンパレータと、第１のコンパレータの出力と第２のコンパレータの出力とに接続したレベル・シフタ／デッド・タイム回路と、レベル・シフタ／デッド・タイム回路と接続した第１のゲートドライブと第２のゲートドライブと、第１のゲートドライブに夫々のベースを接続すると共にＶＣＣ端子にコレクタを接続した第１のＰＮＰトランジスタとグランド端子にエミッタを接続させた第１のＮＰＮトランジスタと、第１のＰＮＰトランジスタと第１のＮＰＮトランジスタとの間にを接続点を介装して接続した正極側出力端子と、第２のゲートドライブにベースを接続すると共にＶＣＣ端子にコレクタを接続した第２のＰＮＰトランジスタとグランド端子にエミッタを接続させた第２のＮＰＮトランジスタと、第２のＰＮＰトランジスタと第２のＮＰＮトランジスタとの間にを接続点を介装して接続した負極側出力端子とを備えたデジタルアンプ本体と、デジタルアンプ本体からＶＣＣ端子とグランド端子と入力端子とミュート端子と正極側出力端子と負極側出力端子とを突出させ、ＶＣＣ端子とグランド端子との間に第１のコンデンサを接続し、正極側出力端子に第２のコンデンサを接続させ、負極側出力端子に第３のコンデンサを接続したものである。
【発明の効果】
【０００７】
本発明の六端子型デジタルアンプは、デジタルアンプ本体からＶＣＣ端子とグランド端子と入力端子とミュート端子と正極側出力端子と負極側出力端子とを突出させると共に、ＶＣＣ端子とグランド端子との間に第１のコンデンサを接続し、正極側出力端子と負極側出力端子とに第２のコンデンサと第３のコンデンサとを夫々接続したことにより、構成を簡素化、コンパクト化できパーツの組み込みが少ないため、廉価で提供できるものであり、画期的で実用性の高い発明である。
【発明を実施するための最良の形態】
【０００８】
本発明は六端子型デジタルアンプに関するものであり、更に詳細には、オーディオ等に好適に使用されるデジタルアンプであり、電力増幅させてスピーカーを駆動させる簡易でコンパクトな六端子型デジタルアンプに関するものであり、入力端子４に接続させたＰＷＭ変調回路１ａと、該ＰＷＭ変調回路１ａに正極を接続させた第１のコンパレータ１ｂと、該第１のコンパレータ１ｂの負極と正極を接続すると共に前記ＰＷＭ変調回路１ａに負極を接続させた第２のコンパレータ１ｃと、該第１のコンパレータ１ｂの出力と前記第２のコンパレータ１ｃの出力とに夫々接続したレベル・シフタ／デッド・タイム回路１ｄと、該レベル・シフタ／デッド・タイム回路１ｄと夫々接続した第１のゲートドライブ１ｅと第２のゲートドライブ１ｆと、該第１のゲートドライブ１ｅに夫々のベースを接続すると共にＶＣＣ端子２にコレクタを接続した第１のＰＮＰトランジスタ１ｇとグランド端子３にエミッタを接続させた第１のＮＰＮトランジスタ１ｈと、該第１のＰＮＰトランジスタ１ｇと第１のＮＰＮトランジスタ１ｈとの間にを接続点を介装して接続した正極側出力端子６と、前記第２のゲートドライブ１ｆに夫々のベースを接続すると共にＶＣＣ端子２にコレクタを接続した第２のＰＮＰトランジスタ１ｉとグランド端子３にエミッタを接続させた第２のＮＰＮトランジスタ１ｊと、該第２のＰＮＰトランジスタ１ｉと第２のＮＰＮトランジスタ１ｊとの間にを接続点を介装して接続した負極側出力端子７とを備えたデジタルアンプ本体と、該デジタルアンプ本体１からＶＣＣ端子２とグランド端子３と入力端子４とミュート端子５と正極側出力端子６と負極側出力端子７とを突出させ、前記ＶＣＣ端子２と前記グランド端子３との間に第１のコンデンサＣ１を接続し、前記正極側出力端子６に第２のコンデンサＣ２を接続させ、前記負極側出力端子７に第３のコンデンサＣ３を接続したものである。
【実施例】
【０００９】
以下、本発明の六端子型デジタルアンプの実施例の図面を用いて詳細に説明すると、図１は本発明の六端子型デジタルアンプの実施例の回路図であり、図２は本発明の六端子型デジタルアンプの実施例のデジタルアンプ本体の回路図であり、図３は本発明の六端子型デジタルアンプの実施例の正面図である。
【００１０】
即ち、本発明の六端子型デジタルアンプは、図３に図示する如く、デジタルアンプ本体１は絶縁部材で形成された略立方体状のもので、一面には機器と電気的に接続させるためのＶＣＣ端子２とグランド端子３と入力端子４とミュート端子５と正極側出力端子６と負極側出力端子７とを突出させているものである。
【００１１】
そして、図２に図示する実施例の回路図の如く、デジタルアンプ本体１にはＰＷＭ変換回路１ａと一対のコンパレータ１ｂ．１ｃとレベル・シフタ／デッド・タイム回路１ｄと２つのゲートドライブ１ｅ．１ｆと２つのＰＮＰトランジスタ１ｇ．１ｉと２つのＮＰＮトランジスタ１ｈ．１ｊとを備えているものである。
【００１２】
次に、ＰＷＭ変調回路１ａは音楽信号の電圧振幅をデジタルパルスの幅の長短に変換する回路であり、入力端子４に接続させると共に、後述する第１のコンパレータ１ｂと第２のコンパレータ１ｃとに接続しているものである。
【００１３】
次いで、第１のコンパレータ１ｂの正極をＰＷＭ変調回路１ａに接続させ、第２のコンパレータ１ｃの負極をＰＷＭ変調回路１ａに接続させ、第１のコンパレータ１ｂの負極と第２のコンパレータ１ｃの正極とを接続させ、第１のコンパレータ１ｂと第２のコンパレータ１ｃとの出力はレベル・シフタ／デッド・タイム回路１ｄに接続させているもので、第１のコンパレータ１ｂと第２のコンパレータ１ｃは二つのディジタル入力値を比較した結果を出力するものである。
【００１４】
更に、レベル・シフタ／デッド・タイム回路１ｄは第１のコンパレータ１ｂの出力と第２のコンパレータ１ｃの出力とに夫々接続されると共に、第１のゲートドライブ１ｅと第２のゲートドライブ１ｆとに夫々接続しているものである。
【００１５】
更には、第１のＰＮＰトランジスタ１ｇと第１のＮＰＮトランジスタ１ｈとは接続点を介装して接続され、該接続点には正極側出力端子６を接続し、第１のＰＮＰトランジスタ１ｇのコレクタはＶＣＣ端子２に接続すると共にベースは第１のゲートドライブ１ｅに接続し、第１のＮＰＮトランジスタ１ｈのエミッタはグランド端子３に接続させているものである。
【００１６】
そして、第２のＰＮＰトランジスタ１ｉと第２のＮＰＮトランジスタ１ｊとは接続点を介装して接続され、該接続点には負極側出力端子７を接続し、第２のＰＮＰトランジスタ１ｉのコレクタはＶＣＣ端子２に接続すると共にベースを第２のゲートドライブ１ｆに接続し、第２のＮＰＮトランジスタ１ｊのエミッタはグランド端子３に接続させているものである。
【００１７】
次いで、第１のコンデンサＣ１はＶＣＣ端子２とグランド端子３との間に夫々接続点を設けて接続し、第２のコンデンサＣ２は正極側出力端子６に接続させ、第３のコンデンサＣ３は負極側出力端子７に接続させたものである。
【産業上の利用可能性】
【００１８】
本発明の六端子型デジタルアンプは、オーディオ等に好適に使用され、無駄な電力を消費せずに信号を増幅させてスピーカーを高効率で駆動させるものである。
【図面の簡単な説明】
【００１９】
【図１】図１は本発明の六端子型デジタルアンプの実施例の回路図である。
【図２】図２は本発明の六端子型デジタルアンプの実施例のデジタルアンプ本体の回路図である。
【図３】図３は本発明の六端子型デジタルアンプの実施例の正面図である。
【符号の説明】
【００２０】
１      デジタルアンプ本体
１ａ    ＰＷＭ変調回路
１ｂ    第１のコンパレータ
１ｃ    第２のコンパレータ
１ｄ    レベル・シフタ／デッド・タイム回路
１ｅ    第１のゲートドライブ
１ｆ    第２のゲートドライブ
１ｇ    第１のＰＮＰトランジスタ
１ｈ    第１のＮＰＮトランジスタ
１ｉ    第２のＰＮＰトランジスタ
１ｊ    第２のＮＰＮトランジスタ
２      ＶＣＣ端子
３      グランド端子
４      入力端子
５      ミュート端子
６      正極側出力端子
７      負極側出力端子
Ｃ１    第１のコンデンサ
Ｃ２    第２のコンデンサ
Ｃ３    第３のコンデンサ
【図１】
2006041767.tif 000003
【図２】
2006041767.tif 000004
【図３】
2006041767.tif 000005